(57)【特許請求の範囲】
【請求項１】
物品を載置するための前棚上面板及び該前棚上面板の両側縁に沿って下方に延びる壁状の第１ガイド部を有する前棚と、
物品を載置するための後棚上面板、該後棚上面板の両側縁に沿って下側に形成されたＬ字型を成すレール部及び該レール部の前端で前記後棚上面板に平行な前記レール部の底面より垂直に延びた立ち上がり部を有する後棚とから成り、
前記前棚は、前記第１ガイド部により前記立ち上がり部上を摺動して前方に引き出されると、前記後棚と前後方向に並んでひとつの棚を形成する載置棚において、
前記第１ガイド部は前端及び後端に突出部を有し、
前記第１ガイド部の後端の突出部と前記立ち上がり部とが接したとき、前記前棚上面板の後端と前記後棚上面板とを密接させて前記後棚上面板の反りを矯正し、
前記第１ガイド部の前端の突出部と前記立ち上がり部とが接したとき、前記前棚上面板が前記後棚上面板を持ち上げて前記後棚上面板の反りを矯正し、
前記第１ガイド部の前端又は後端の突出部と前記立ち上がり部との接触が解除されたとき、前記前棚上面板と前記後棚上面板との間に隙間を生じさせて前記前棚を摺動しやすくすることを特徴とする載置棚。
【請求項２】
物品を載置するための前棚上面板及び該前棚上面板の両側縁に沿って下方に延びる壁状の第１ガイド部を有する前棚と、
物品を載置するための後棚上面板、該後棚上面板の両側縁に沿って下側に形成されたＬ字型を成すレール部及び該レール部の前端で前記後棚上面板に平行な前記レール部の底面より垂直に延びた立ち上がり部を有する後棚とから成り、
前記前棚は、前記第１ガイド部により前記立ち上がり部上を摺動して前方に引き出されると、前記後棚と前後方向に並んでひとつの棚を形成する載置棚において、
前記第１ガイド部は後端に突出部を有し、
前記前棚上面板は上面の前端付近に第１突起部を有し、
前記第１ガイド部の後端の突出部と前記立ち上がり部とが接したとき、前記前棚上面板の後端と前記後棚上面板とを密接させて前記後棚上面板の反りを矯正し、
前記第１突起部と前記後棚上面板とが当接したとき、前記前棚上面板が前記第１突起部を介して前記後棚上面板を持ち上げて前記後棚上面板の反りを矯正し、
前記第１ガイド部の後端の突出部と前記立ち上がり部との接触又は前記第１突起部と前記後棚上面板との当接が解除されたとき、前記前棚上面板と前記後棚上面板との間に隙間を生じさせて前記前棚の摺動を円滑にすることを特徴とする載置棚。
【請求項３】
物品を載置するための前棚上面板及び該前棚上面板の両側縁に沿って下方に延びる壁状の第１ガイド部を有する前棚と、
物品を載置するための後棚上面板、該後棚上面板の両側縁に沿って下側に形成されたＬ字型を成すレール部及び該レール部の前端で前記後棚上面板に平行な前記レール部の底面より垂直に延びた立ち上がり部を有する後棚とから成り、
前記前棚は、前記第１ガイド部により前記立ち上がり部上を摺動して前方に引き出されると、前記後棚と前後方向に並んでひとつの棚を形成する載置棚において、
前記第１ガイド部は後端に突出部を有し、
前記前棚上面板は両側縁及び前端縁に沿って上方に延びる壁状の第２ガイド部を有し、
前記第２ガイド部は前端縁部分に突起部を有し、
前記第１ガイド部の後端の突出部と前記立ち上がり部とが接したとき、前記前棚上面板の後端と前記後棚上面板とを密接させて前記後棚上面板の反りを矯正し、
前記第２ガイド部の突起部と前記後棚上面板の前端とが当接しているとき、前記第２ガイド部の突起部が前記後棚上面板を支持することにより前記後棚上面板の反りを矯正し、
前記第１ガイド部の後端の突出部と前記立ち上がり部との接触又は前記第２ガイド部の突起部と前記後棚上面板の前端との当接が解除されたとき、前記第２ガイド部の上面と前記後棚上面板とが当接することにより前記前棚の走行性を保つことを特徴とする載置棚。
【請求項４】
物品を載置するための前棚上面板及び該前棚上面板の両側縁に沿って下方に延びる壁状の第１ガイド部を有する前棚と、
物品を載置するための後棚上面板、該後棚上面板の両側縁に沿って下側に形成されたＬ字型を成すレール部及び該レール部の前端で前記後棚上面板に平行な前記レール部の底面より垂直に延びた立ち上がり部を有する後棚とから成り、
前記前棚は、前記第１ガイド部により前記立ち上がり部上を摺動して前方に引き出されると、前記後棚と前後方向に並んでひとつの棚を形成する載置棚において、
前記第１ガイド部は前方へいくに従って下方に長く延びるとともに後端に突出部を有し、
前記後棚上面板は下面の前端付近に第２突起部を有し、
前記第１ガイド部の後端の突出部と前記立ち上がり部とが接したとき、前記前棚上面板の後端と前記後棚上面板とを密接させて前記後棚上面板の反りを矯正し、
前記前棚上面板と前記第２突起部とが当接しているとき、前記前棚上面板が前記第２突起部を介して前記後棚上面板を持ち上げることにより前記後棚上面板の反りを矯正し、
前記第１ガイド部の後端の突出部と前記立ち上がり部との接触又は前記前棚上面板と前記第２突起部との当接が解除されて前記前棚上面板と前記第２突起部との間に隙間が生じたとき前記前棚の摺動を円滑にすることを特徴とする載置棚。
【請求項５】
前記前棚上面板は後端が一段低くなった下段部を有し、
該下段部の後端には前記第１ガイド部よりも下側に長く延びた係止部が設けられていることを特徴とする請求後１乃至４のいずれかに記載の載置棚。
【発明の詳細な説明】
【０００１】
【発明の属する技術分野】
本発明は冷蔵庫などに設けられる前後方向に２つ又は２つ以上に分割された載置棚に関するものである。
【０００２】
【従来の技術】
先ず、載置棚を備えた冷蔵庫について説明する。図１６はこの冷蔵庫の概略図であり、冷蔵庫１の本体から扉を取り外した状態が示されている。冷蔵庫１の本体内の貯蔵室２には載置棚３が取り付けられており、その上に食品を置くようになっている。
【０００３】
この載置棚３は前後方向に二分割した構成のもので、前棚４と後棚５から成る。前棚４は、後棚５に対して前後方向に摺動可能であり、ここでは前棚４が完全に前方に引き出されている。前棚４を後方に押し込むと後棚５の下側に挿入され、その下の棚１０に背の高いものを載置することができ使い勝手がよい。
【０００４】
図１７は上記載置棚３を示しており、(イ)は正面から見た図であり、(ロ)は図(イ)におけるＢ−Ｂでの断面図である。前棚４では、物品を載置するための前棚上面板４ａの両側縁に沿って壁状の第１ガイド部４ｂが下方に延びている。また、前棚上面板４ａの前端縁に沿って壁状の把手部４ｃが下方に延びており、この部分に手をかけて前棚４を摺動させる。
【０００５】
後棚５では、物品を載置するための後棚上面板５ａの両側縁に下側に延びるＬ字型のレール部５ｂが形成されている。このレール部５ｂの前端には、後棚上端面５ａに平行な底面より立ち上がり部５ｃが垂直に延びている。前棚４は後棚上面板５ａと立ち上がり部５ｃとの隙間に挿入され、第１ガイド部４ｂで立ち上がり部５ｃに支持されている。そして、前棚４はこの立ち上がり部５ｃ上を前後方向に摺動する。
【０００６】
尚、後棚５より両外側に延びる６は回転支軸であり、これによって貯蔵室２(図１６参照)の内壁に取り付けられる。この回転支軸６を中心にして前棚４が挿入された後棚５を後方に回転させると、載置棚３を垂直に立てることができる。
【０００７】
【発明が解決しようとする課題】
上記従来の載置棚３では、前棚４の走行性を保つため、前棚上面板４ａと後棚上面板５ａとの間に３ミリメートル程度の間隔が設けられている。実使用時では、この間隔のぶんだけ後棚上面板５ａの前端は中心に向かって下方に反り、直線性を維持するのはほとんど不可能である。この反りは、後棚５が射出成型による樹脂製であることから、成型条件のばらつきなどによる不均一な熱収縮や自重のために起こる。
【０００８】
このように反りの生じた後棚上面板５ａが前棚上面板４ａに接すると、前棚４が円滑に摺動できないという不都合が生じる。また、前棚４を後棚上面板５ａの下側に挿入したとき、前棚上面板４ａと後棚上面板５ａとの相対的な位置関係により視覚的に反りが一層強調され、外観上好ましくない。
【０００９】
本発明は上記課題をかんがみて成されたものであり、摺動する前棚の走行性を保つと共に、後棚上面板の直線性が概ね維持できる構成の載置棚を提供することを目的とする。
【００１０】
【課題を解決するための手段】
上記目的を達成するために、請求項１の載置棚は、物品を載置するための前棚上面板及び該前棚上面板の両側縁に沿って下方に延びる壁状の第１ガイド部を有する前棚と、物品を載置するための後棚上面板、該後棚上面板の両側縁に沿って下側に形成されたＬ字型を成すレール部及び該レール部の前端で前記後棚上面板に平行な前記レール部の底面より垂直に延びた立ち上がり部を有する後棚とから成り、前記前棚は、前記第１ガイド部により前記立ち上がり部上を摺動して前方に引き出されると、前記後棚と前後方向に並んでひとつの棚を形成する載置棚において、前記第１ガイド部は前端及び後端に突出部を有し、前記第１ガイド部の後端の突出部と前記立ち上がり部とが接したとき、前記前棚上面板の後端と前記後棚上面板とを密接させて前記後棚上面板の反りを矯正し、前記第１ガイド部の前端の突出部と前記立ち上がり部とが接したとき、前記前棚上面板が前記後棚上面板を持ち上げて前記後棚上面板の反りを矯正し、前記第１ガイド部の前端又は後端の突出部と前記立ち上がり部との接触が解除されたとき、前記前棚上面板と前記後棚上面板との間に隙間を生じさせて前記前棚を摺動しやすくすることを特徴とする。
第１ガイド部の前端に突出部を備えたことにより、前棚を後方に摺動させたときに後棚の立ち上がり部とガイド部の前端の突出部とが接すると、ガイド部の前端がガイド部のほかの部分よりも下方に突出しているため、前棚上面板が持ち上がる。故に、前端で下側に反った後棚上面板はこの前棚上面板によって持ち上げられる。
【００１１】
請求項２の載置棚は、物品を載置するための前棚上面板及び該前棚上面板の両側縁に沿って下方に延びる壁状の第１ガイド部を有する前棚と、物品を載置するための後棚上面板、該後棚上面板の両側縁に沿って下側に形成されたＬ字型を成すレール部及び該レール部の前端で前記後棚上面板に平行な前記レール部の底面より垂直に延びた立ち上がり部を有する後棚とから成り、前記前棚は、前記第１ガイド部により前記立ち上がり部上を摺動し前方に引き出されると、前記後棚と前後方向に並んでひとつの棚を形成する載置棚において、前記第１ガイド部は後端に突出部を有し、前記前棚上面板は上面の前端付近に第１突起部を有し、前記第１ガイド部の後端の突出部と前記立ち上がり部とが接したとき、前記前棚上面板の後端と前記後棚上面板とを密接させて前記後棚上面板の反りを矯正し、前記第１突起部と前記後棚上面板とが当接したとき、前記前棚上面板が前記第１突起部を介して前記後棚上面板を持ち上げて前記後棚上面板の反りを矯正し、前記第１ガイド部の後端の突出部と前記立ち上がり部との接触又は前記第１突起部と前記後棚上面板との当接が解除されたとき、前記前棚上面板と前記後棚上面板との間に隙間を生じさせて前記前棚の摺動を円滑にすることを特徴とする。
前棚上面板の上面の前端付近に第１突起部を設けたことにより、前棚を後方に摺動させて、下側に反った後棚上面板の前端と前棚上面板の第１突起部とが当接すると、後棚上面板は第１突起部を介して前棚上面板によって持ち上げられる。
【００１２】
また、請求項３の載置棚は、物品を載置するための前棚上面板及び該前棚上面板の両側縁に沿って下方に延びる壁状の第１ガイド部を有する前棚と、物品を載置するための後棚上面板、該後棚上面板の両側縁に沿って下側に形成されたＬ字型を成すレール部及び該レール部の前端で前記後棚上面板に平行な前記レール部の底面より垂直に延びた立ち上がり部を有する後棚とから成り、前記前棚は、前記第１ガイド部により前記立ち上がり部上を摺動して前方に引き出されると、前記後棚と前後方向に並んでひとつの棚を形成する載置棚において、前記第１ガイド部は後端に突出部を有し、前記前棚上面板は両側縁及び前端縁に沿って上方に延びる壁状の第２ガイド部を有し、前記第２ガイド部は前端縁部分に突起部を有し、前記第１ガイド部の後端の突出部と前記立ち上がり部とが接したとき、前記前棚上面板の後端と前記後棚上面板とを密接させて前記後棚上面板の反りを矯正し、前記第２ガイド部の突起部と前記後棚上面板の前端とが当接しているとき、前記第２ガイド部の突起部が前記後棚上面板を支持することにより前記後棚上面板の反りを矯正し、前記第１ガイド部の後端の突出部と前記立ち上がり部との接触又は前記第２ガイド部の突起部と前記後棚上面板の前端との当接が解除されたとき、前記第２ガイド部の上面と前記後棚上面板とが当接することにより前記前棚の走行性を保つことを特徴とする。
前棚上面板の両側縁及び前端縁に沿って第２ガイド部を設けたことにより、前棚が後棚の立ち上がり部上を摺動しているとき、下側に反った後棚上面板は第２ガイド部の上面に接して前棚上面板に直接は接しない。
【００１３】
また、請求項４の載置棚は、物品を載置するための前棚上面板及び該前棚上面板の両側縁に沿って下方に延びる壁状の第１ガイド部を有する前棚と、物品を載置するための後棚上面板、該後棚上面板の両側縁に沿って下側に形成されたＬ字型を成すレール部及び該レール部の前端で前記後棚上面板に平行な前記レール部の底面より垂直に延びた立ち上がり部を有する後棚とから成り、前記前棚は、前記第１ガイド部により前記立ち上がり部上を摺動して前方に引き出されると、前記後棚と前後方向に並んでひとつの棚を形成する載置棚において、前記第１ガイド部は前方へいくに従って下方に長く延びるとともに後端に突出部を有し、前記後棚上面板は下面の前端付近に第２突起部を有し、前記第１ガイド部の後端の突出部と前記立ち上がり部とが接したとき、前記前棚上面板の後端と前記後棚上面板とを密接させて前記後棚上面板の反りを矯正し、前記前棚上面板と前記第２突起部とが当接しているとき、前記前棚上面板が前記第２突起部を介して前記後棚上面板を持ち上げることにより前記後棚上面板の反りを矯正し、前記第１ガイド部の後端の突出部と前記立ち上がり部との接触又は前記前棚上面板と前記第２突起部との当接が解除されて前記前棚上面板と前記第２突起部との間に隙間が生じたとき前記前棚の摺動を円滑にすることを特徴とする。
【００１５】
上記載置棚では、前棚がガイド部で後棚の立ち上がり部上を摺動しているとき、下側に反った後棚上面板はその第２突起部で前棚上面板に接して前棚上面板に直接は接しない。また、前棚を後方に摺動させて後棚の立ち上がり部にガイド部の前端付近が達すると、このガイド部は前方へいくに従って下方に長く延びていることから、それだけ前棚上面板が持ち上がる。故に、下側に反った後棚上面板は第２突起部を介して前棚上面板と共に持ち上げられる。
また、請求項５の載置棚は、上記構成の載置棚において、前記前棚上面板は後端が一段低くなった下段部を有し、該下段部の後端には前記第１ガイド部よりも下側に長く延びた係止部が設けられていることを特徴とする。
【００１６】
【発明の実施の形態】
本発明に係る実施形態を図面を参照して説明する。尚、図１７に示す従来技術を同じ名称の構成には同一の符号を付し、重複する説明は省略する。
【００１７】
先ず、第１実施形態について説明する。図１は本実施形態の載置棚の外観図である。この載置棚３は図１７に示す従来技術と同様に前後方向に二分割された構成となっており、前棚４と後棚５から成る。前棚４は後方に押し込むと後棚上面板５ａの下側に挿入される。また、この載置棚３は後棚５の両側より延びる回転支軸６により、例えば冷蔵庫の貯蔵室の内壁などに取り付けられている(図１６参照)。
【００１８】
図２は前棚４の斜視図であり、図３は前棚４を裏返しにしたところを示す斜視図である。前棚上面板４ａ及び第１ガイド部４ｂは、段差部４ｄにより奥側が一段低くなっている。この低くなった前棚上面板４ａの下段部４ａ′では、後端が第１ガイド部４ｂよりも下側に長く延びて係止部４ｅとなっている。
【００１９】
第１ガイド部４ｂでは段差部４ｄのさらに奥側で段差部４ｆを有し、この段差部４ｆにより奥側が一段低くなってがたつき防止部４ｇが形成されている。また、第１ガイド部４ｂの手前側では段差部４ｈを有し、この段差部４ｈにより手前側が一段低くなって突出部４ｉが形成されている。
【００２０】
図４は後棚５の斜視図であり、図５は後棚５を裏返しにしたところを示す斜視図である。後棚上面板５ａの両側のレール部５ｂには、それぞれリブ状のストッパー５ｄが設けられている(図５には一方のストッパー５ｄのみ図示)。また、レール部５ｂの下面には回転支軸６を固定するための軸受け部５ｅが下側に延びている。前棚４(図２参照)は後棚上面板５ａと立ち上がり部５ｃとの隙間に挿入され、第１ガイド部４ｂ(図２参照)で立ち上がり部５ｃに支持される。
【００２１】
図６は図１におけるＡ−Ａ線での断面図である。図に示すように、前棚４が完全に前方に引き出されていると、後棚５の立ち上がり部５ｃ上には第１ガイド部４ｂのがたつき防止部４ｇが位置する。このとき、前棚上面板４ａの下段部４ａ′は後棚上面板５ａに密接している。故に、前棚上面板４ａにものを載置すると下段部４ａ′は後棚上面板５ａを下方から押し上げるが、後棚上面板５ａとの間に隙間がないので前棚４はがたつかない。また、前棚４は係止部４ｅが立ち上がり部５ｃによって係止されていることから、後棚上面板５ａと立ち上がり部５ｃとの隙間より抜け落ちない。
【００２２】
図７は、図６における前棚４を僅かに後方に押し込んだ状態を示した断面図である。前棚４はがたつき防止部４ｇから段差部４ｆを越えて一段上がったところで、後棚５の立ち上がり部５ｃに支持されている。この図に示すように、がたつき防止部４ｇが立ち上がり部５ｃから外れると、前棚４の下段部４ａ′と後棚上面板５ａとの間には隙間が生じ、前棚４は摺動しやすくなる。また、後棚上面板５ａの前端は前棚４の段差部４ｄに応じて斜面になっていることから、この後さらに前棚４を後方に押し込んでも後棚上面板５ａの前端は前棚４に当たらず、前棚４の摺動は円滑に行われる。
【００２３】
図８は、図７における前棚４をさらに後方に押し込んだ状態を示した断面図である。前棚４は段差部４ｄを越えて一段上がったところで後棚５の立ち上がり部５ｃに支持されている。この状態で前棚４をさらに後方に押し込み、前棚４を後棚上面板５ａの下側に挿入する。
【００２４】
図９は、前棚４が後棚上面板５ａの下側に完全に挿入された状態を示している。前棚４は、第１ガイド部４ｂから段差部４ｈを越えて一段下がった突出部４ｉで後棚５の立ち上がり部５ｃに支持されている。このとき、後棚５のストッパー５ｄに前棚４の係止部４ｅが当接し、前棚４の後端は位置固定される。
【００２５】
突出部４ｉは第１ガイド部４ｂのほかの部分よりも下方に長く延びていることから、この突出部４ｉが立ち上がり部５ｃに達すると、それだけ前棚上面板４ａが持ち上がる。故に、後棚上面板５ａも共に持ち上がり、前端の反りが矯正される。
【００２６】
次に、第２実施形態について説明する。本実施形態の載置棚３は前棚４の構成が第１実施形態と異なるものであり、後棚５の構成は第１実施形態と同様である(図４及び図５参照)。
【００２７】
図１０は本実施形態の前棚４の斜視図である。前棚上面板４ａの上面の前端付近中央部には第１突起部７が形成されている。この第１突起部７の奥側は斜面７ａとなっている。また、把手４ｃや係止部４ｅ、第１ガイド部４ｂに形成された段差部４ｄ,４ｆ、がたつき防止部４ｇは第１実施形態と同様である。
【００２８】
図１１は、前棚４が後棚上面板５ａの下側に完全に挿入された状態を示している。前棚４が第１ガイド部４ｂで後棚５の立ち上がり部５ｃ上を摺動しているときは、前棚上面板４ａと後棚上面板５ａとの間には隙間が形成されて前棚４の摺動は円滑に行われる。
【００２９】
さらに前棚４を摺動して後棚上面板５ａの前端に前棚４の第１突起部７が当接すると、該前端は斜面７ａによって円滑に第１突起部７の上面に達することができる。これによって、後棚上面板５ａは持ち上げられ、その反りが矯正される。このとき、後棚５のストッパー５ｄに前棚４の係止部４ｅが当接し、前棚４の後端は位置固定されている。
【００３０】
尚、本実施形態では第１突起部７を１個だけ設けているが、載置棚３の幅寸法により複数個設けてもよく、もちろん幅方向の端から端まで連続して設けてもよい。
【００３１】
次に、第３実施形態について説明する。本実施形態の載置棚３は前棚４の構成が第１実施形態と異なるものであり、後棚５の構成は第１実施形態と同様である(図４及び図５参照)。
【００３２】
図１２は本実施形態の前棚４の斜視図である。前棚上面板４ａの両側縁と前端縁に沿って上方に延びる壁状の第２ガイド部１４が形成されている。この第２ガイド部１４における前端縁部分の中央部には、該ガイド部１４と上面が連続する突起部１４ａが形成されている。また、この突起部１４ａの奥側は斜面１４ｂとなっている。また、把手４ｃや係止部４ｅ、第１ガイド部４ｂに形成された段差部４ｄ,４ｆ、がたつき防止部４ｇは第１実施形態と同様である。
【００３３】
図１３は、前棚４が後棚上面板５ａの下側に完全に挿入された状態を示している。従来技術では、前棚４が第１ガイド部４ｂで後棚５の立ち上がり部５ｃ上を摺動しているとき、実際には後棚上面板５ａが下側に反って前棚上面板４ａに接することがあり、前棚４の走行性は保たれにくかった。しかしながら、本実施形態では下側に反った後棚上面板５ａは第２ガイド部１４の上面に当接するので、前棚４に接する面積が小さくなりそれだけ前棚４の走行性が保たれる。
【００３４】
また、図に示すように、突起部１４ａによって後棚上面板５ａの前端付近中央部が支持されているので、後棚上面板５ａの反りは矯正される。このとき、第２実施形態と同様に、突起部１４ａの奥側には斜面１４ｂが形成されていることから、後棚上面板５ａの前端は円滑に突起部１４ａの上面に達することができる。
【００３５】
次に、第４実施形態について説明する。図１４は本実施形態の後棚５の斜視図であり、裏返したところを示している。後棚上面板５ａの下面の前端付近中央部には第２突起部８が形成されている。この第２突起部８の奥側は斜面８ａとなっている。また、レール部５ｂや立ち上がり部５ｃ、ストッパー５ｄ、軸受け部５ｅ、回転支持軸６は第１実施形態と同様である。
【００３６】
図１５は、前棚４が後棚上面板５ａの下側に完全に挿入された状態を示している。図に示すように、前棚４の第１ガイド部４ｂは前方へいくに従って下方に長く延びている。この前棚４が第１ガイド部４ｂで後棚５の立ち上がり部５ｂ上を後方に摺動すると、前棚４の奥側では第１ガイド部４ｂの長さが短いので、前棚上面板４ａの上面に後棚５の第２突起部８が当接せず、前棚４の摺動は円滑に行われる。
【００３７】
そして、立ち上がり部５ｃに第１ガイド部４ｂの前端側が近づくにつれて第１ガイド部４ｂが長くなるので、徐々に前棚上面板４ａが持ち上がり第２突起部８に接する。この場合、前棚上面板４ａに接するのは後棚上面板５ａではないので、それだけ接する面積は小さく前棚４の摺動は円滑に行われる。
【００３８】
さらに前棚４が後方に摺動して後棚上面板５ａの前端に前棚上面板４ａの前端が近づくと、第１ガイド部４ｂが下方に最も長くなるので後棚上面板５ａは第２突起部８を介してそのぶん持ち上げられる。故に、後棚上面板５ａの反りは矯正される。また、第２突起部８の奥側に形成された斜面８ａによって、摺動する前棚４は段差部４ｄが第２突起部８を円滑に越えることができる。
【００３９】
尚、本実施形態では第２突起部８を１個だけ設けているが、載置棚３の幅寸法により複数個設けてもよく、もちろん幅方向の端から端まで連続して設けてもよい。
【００４０】
上述した第１乃至第４の実施形態ではいずれも載置棚として前後方向に棚を二分割した構成のものについて示しているが、これに限らず、二分割以上の構成としてもよい。また、各実施形態の載置棚を備えたものの例として冷蔵庫の貯蔵室を示しただけであるが、これに限らずどのようなものに取り付けてもよいのはもちろんである。
【００４１】
【発明の効果】
以上説明したように、請求項１乃至請求項５の載置棚では、後棚上面板の反りを矯正する手段により後棚上面板の前端が持ち上げられている。故に、後棚上面板は前棚上面板の上面に接さないので、前棚の摺動は円滑に行われる。また、反りが矯正されることで見た目の美しいものとなる。
【００４２】
特に、請求項３及び請求項４の載置棚では、後棚上面板と前棚上面板との接する面積が小さくなるように構成されている。故に、前棚の摺動はよりいっそう円滑に行われる。
【図面の簡単な説明】
【図１】本発明に係る載置棚の外観斜視図。
【図２】第１実施形態の前棚の外観斜視図。
【図３】第１実施形態の前棚を裏返したところを示す斜視図。
【図４】第１実施形態の後棚の外観斜視図。
【図５】第１実施形態の後棚を裏返したところを示す斜視図。
【図６】第１実施形態の載置棚において前棚が完全に引き出された状態を示す断面図。
【図７】第１実施形態の載置棚において前棚が僅かに押し込まれた状態を示す断面図。
【図８】第１実施形態の載置棚において前棚がさらに押し込まれた状態を示す断面図。
【図９】第１実施形態の載置棚において前棚が後棚上面板の下側に収納された状態を示す断面図。
【図１０】第２実施形態の前棚の外観斜視図。
【図１１】第２実施形態の載置棚において前棚が後棚上面板の下側に収納された状態を示す断面図。
【図１２】第３実施形態の前棚の外観斜視図。
【図１３】第３実施形態の載置棚において前棚が後棚上面板の下側に収納された状態を示す断面図。
【図１４】第４実施形態の後棚を裏返したところを示す斜視図。
【図１５】第４実施形態の載置棚において前棚が後棚上面板の下側に収納された状態を示す断面図。
【図１６】載置棚を備えた冷蔵庫の斜視図。
【図１７】従来の載置棚の正面図。
【符号の説明】
１    冷蔵庫
２    貯蔵室
３    載置棚
４    前棚
４ａ    前棚上面板
４ｂ    第１ガイド部
５    後棚
５ａ    後棚上面板
５ｂ    レール部
５ｃ    立ち上がり部
６    回転支持軸
７    第１突起部
８    第２突起部
１４    第２ガイド部
【図１】
0003659821.tif 000002
【図２】
0003659821.tif 000003
【図３】
0003659821.tif 000004
【図４】
0003659821.tif 000005
【図５】
0003659821.tif 000006
【図６】
0003659821.tif 000007
【図７】
0003659821.tif 000008
【図８】
0003659821.tif 000009
【図９】
0003659821.tif 000010
【図１０】
0003659821.tif 000011
【図１１】
0003659821.tif 000012
【図１２】
0003659821.tif 000013
【図１３】
0003659821.tif 000014
【図１４】
0003659821.tif 000015
【図１５】
0003659821.tif 000016
【図１６】
0003659821.tif 000017
【図１７】
0003659821.tif 000018